(57)【要約】【課題】    シンプル形状の逆立ち独楽のみを誰でも容易に逆立ち回転出来る、強い回転力を発生可能な構造が課題で、特に大型化の逆立ち独楽にも対応できる回転力方法である。【解決手段】  回転具１３の把持部２５を垂直方向に持って逆立ち独楽１の球面を接地し、回転用糸２７を回転具１３の直角方向に引く。回転用糸２７の力の方向に挿入孔１７側面に芯棒７が接触し糸通し孔１５の両側、支えA１９と支えB２１で回転を均等に受け逆立ち独楽１の芯棒７が挿入孔１７内で、逆立ち独楽１の球面接地で回転。逆立ち独楽１は回転具１３から取り外され、逆立ち独楽１のみが逆立ち回転運動。【選択図】  図５
2019201941.tif 000002
【特許請求の範囲】
【請求項１】
逆立ち独楽玩具であって、逆立ち独楽と、この逆立ち独楽を取り付けて回転させ、回転した逆立ち独楽から取り外すようにされた回転具とを備え,前記逆立ち独楽は、上面にくぼみが形成された独楽本体と前記くぼみの底面の中央から立ち上がる芯棒とを有し、前記回転具は、前記芯棒を挿入する為の挿入孔が形成され、先端部が前記くぼみ内に収容される回転操作部と、この回転操作部に設けられた把持部を有していて、前記回転操作部の中間部には、糸通し孔が径方向に貫通して形成され、前記回転操作部の前記挿入孔は前記糸通し孔の両側で前記芯棒を回転可能に支える様に形成され、前記芯棒には、前記糸通し孔と対応する位置に糸差し込み孔が形成されていて、糸通し孔を通して糸差し込み孔に差し込まれた回転用糸（紐）を逆立ち独楽を回転させる事により、芯棒に巻き付けることが出来るように構成されていることを特徴とする逆立ち独楽玩具。
【発明の詳細な説明】
【技術分野】
【０００１】
公知の逆立ち独楽は、独楽球面接地で回転させると、やがて芯棒が横向きから台の面に接するようになり、次に芯棒が真下になって逆立ち状態で回る玩具である。  この様に逆立ち回転までの回転運動が長いので、逆立ち独楽の逆立ち性能と最初に指で回す回転力が大切で、弱いと逆立ち回転が少ない、回転しない等の状態となる。よって逆立ち独楽回転性能性と独楽の最初の回転力を高めることに関する。
【０００２】
逆立ち回転性能から独楽の芯棒の長さを、短くシンプル形状とし逆立ち回転性能性に優れた構成で、回転具や回転用糸を用い強い最初の回転力を、シンプル形状の逆立ち独楽にのみに伝達し、逆立ち回転させることに関する。
【背景技術】
【０００３】
非特許文献２の逆立ち独楽は、回転操作部と回転用糸を芯棒に組み込み、逆立ち独楽本体と一体化した、逆立ち独楽、つまり回転操作部を分離しない独楽である、よって逆立ち回転運動は回転操作部、回転用糸の全てを逆立ち独楽として回転させる事となり、組み込んだ全てが逆立ち回転運動性能に影響する構成である。
【０００４】
逆立ち独楽がスムースに逆立ちする為には、逆立ち独楽はシンプル形状が最善、よって芯棒を短くしないと良い逆立ち回転が得られない。芯棒が短い為芯棒に滑り止めスリットが施されていても非特許文献１の手回しでは、上手く逆立ち回転させられない人が多く、クレームが多かった、特に大型化した場合は,殆どの人が上手に回せなくクレームの山だった、誰でも（特に子供や女性）上手に回転力を発生、その回転操作部から分離し逆立ち独楽のみを強い回転させうることである。
【先行技術文献】
【非特許文献】
【０００５】
【非特許文献１】”オストベルグのモデル図”、[online]、[平成３０年５月１９日検索]、インターネット（URL：http://www.geocities.jp/tippetop/zakki301.html）
【０００６】
【非特許文献２】つたや物産、  “くるっとまわって逆立ち糸引き独楽”、[online]、  [平成３０年５月１９日検索]、      インターネット（URL：http://www.komav7.com/kiziganngu/ito/newpage2.html）
【発明の概要】
【発明が解決しようとする課題】
【０００７】
シンプル形状の逆立ち独楽のみを誰でも容易に逆立ち回転出来る、強い回転力を発生可能な構造が課題で、特に大型化の逆立ち独楽にも対応できる回転力方法である。
【課題を解決するための手段】
【０００８】
シンプル形状の逆立ち独楽１に安定した確実な回転力を付ける為に、逆立ち独楽１とこの逆立ち独楽１を取り付けて回転させ、回転した逆立ち独楽１から取り外すようにされた、回転具１３とを備え,前記逆立ち独楽１は、上面にくぼみ１１が形成された、独楽本体３と前記くぼみ１１の底面の中央から立ち上がる芯棒７とを有し、前記回転具１３は、前記芯棒７を挿入する為の挿入孔１７が形成され、先端部が前記くぼみ１１内に収容される回転操作部２３と、この回転操作部２３から軸方向に設けられた把持部２５を有していて、前記回転操作部２３の中間部には、糸通し孔１５が径方向に貫通して形成され、前記回転操作部２３の前記挿入孔１７は前記糸通し孔１５の両側で前記芯棒７を回転可能に支えるように形成され、前記芯棒７には、前記糸通し孔１５と対応する位置に糸差し込み孔９が形成されていて、糸通し孔１５を通して糸差し込み孔９に差し込まれた回転用糸（紐）２７を逆立ち独楽１を回転させる事により芯棒７に巻き付ける事が出来る、回転具１３の把持部２５を持ち逆立ち独楽１の芯棒７に巻き付けた回転用糸２７を回転具１３の直角方向に引く事で、回転力を出せる構成にしている。
【発明の効果】
【０００９】
逆立ち独楽１を回転操作部の回転用糸２７を引っ張ることで、強く回転出来る機構にし、回転操作部から分離して、逆立ち独楽１のみを回す遊びが可能で効果を確認出来た。特に大型にした逆立ち独楽１も楽に独楽回しが出来、十分に効果が得られた。
【００１０】
従来は指で回す技術が必要だった、発明の回転用糸２７での独楽回しは容易で又、回転具１３を静かに上に引き上げると、独楽の左右前後への変動が少なく、以前より狭い場所で逆立ち独楽１を回し遊べる、効果が得られた。
【００１１】
逆立ち独楽１と回転具１３をセットした、逆立ち独楽玩具は外観がこけしに似て置物としての評価も高く、付帯効果がある。
【図面の簡単な説明】
【００１２】
【図１】逆立ち独楽１を示す斜視図である
【図２】回転具１３を示す斜視図である
【図３】逆立ち独楽１と回転具１３の挿入前の斜視図である
【図４】逆立ち独楽１を回転具１３に挿入斜視図で、糸通し孔１５から糸差し込み孔９へ回転用糸２７を通した図と、独楽手回しで芯棒７に回転用糸２７を巻き付けた回転具１３部断面図とA-A断面図である
【図５】逆立ち独楽１球面を接地面に回転具１３の把持部２５を持ち回転用糸２７を引く平面図である。
【図６】逆立ち独楽１を球面で回転させ、回転具１３を上に引き抜きを示す斜視図である
【図７】芯棒７を下に逆立ちした状態を示した、逆立ち独楽１平面図である
【図８】非特許文献１のオストベルグのモデル図
【図９】非特許文献2の逆立ち前後の状態図
【発明を実施するための形態】
【００１３】
以下、図面に基づき本発明の実施の形態を説明する。
図１に示す,逆立ち独楽１は、球体の一部を切断面５で切断したような形態の独楽本体３を有している、独楽本体３は切断面５から設けられたくぼみ１１を有し、くぼみ１１の底面に芯棒圧入孔２を有している。逆立ち独楽１はこの芯棒圧入孔２に圧入された芯棒７を備え、芯棒７は切断面５又はくぼみ１１より少し外側に突出する長さを有していて、芯棒７はくぼみ１１から突出している部分に、芯棒７を径方向に貫通する糸差し込み孔９が設けられている。
図２に示す,回転具１３は、把持部２５と、この把持部２５から延びる回転操作部２３とを一体的に有して、回転操作部２３は、逆立ち独楽１のくぼみ１１内に収まる外径を有する円筒状体に形成され前記円筒状体内には逆立ち独楽１の芯棒７がクリアランスを持って挿入可能な、挿入孔１７を有して、挿入孔１７の深さは芯棒７の長さより深く  又  径方向には貫通する糸通し孔１５があり、そして挿入孔１７を分割貫通しており、糸通し孔１５の両側で芯棒７が挿入された時に芯棒７を支える、支えA１９と支えB２１を形成している。
図３に示す,逆立ち独楽１を回転具１３に挿入前の状態を示している。
図４に示す,回転具１３の挿入孔１７部に逆立ち独楽１の芯棒７を挿入、回転具１３の回転操作部２３の端面が逆立ち独楽１のくぼみ１１の底面まで挿入、回転操作部２３の糸通し孔１５部に芯棒７の糸差し込み孔９が位置し、回転用糸（紐）２７を糸通し孔１５から糸差し込み孔９へ通す。その状態で逆立ち独楽１を手で回しながら、差し込んだ回転用糸２７を糸差し込み孔９部の芯棒７に巻き付ける。
図５に示す,回転具１３の把持部２５を垂直方向に持って逆立ち独楽１の球面を接地し、回転用糸２７を回転具１３の直角方向に引く。回転用糸２７の力の方向に挿入孔１７側面に芯棒７が接触し糸通し孔１５の両側、支えA１９と支えB２１で回転を均等に受け逆立ち独楽１の芯棒７が挿入孔１７内で、逆立ち独楽１の球面接地で回転。
図６で示す、回転具１３の挿入孔１７で逆立ち独楽１の芯棒７が回転状態から、回転具１３を垂直に静かに引き上げる。回転用糸２７の強い引き力で回転された逆立ち独楽１は独楽球面で回転する。
図７に示す、逆立ち独楽１は独楽球面接地回転からやがて芯棒７が横向き、そして台の面に接触するようになり、次に芯棒７が真下になって逆立ち回転する、つまり逆立ち独楽回転状態である。
【符号の説明】
【００１４】
1  逆立ち独楽
２  芯棒圧入孔
３  独楽本体
５  球体切断面
７  芯棒
９  糸差し込み孔
１１  くぼみ
１３  回転具
１５  糸通し孔
１７  挿入孔
１９  支えA
２１  支えB
２３  回転操作部
２５  把持部
２７  回転用糸（紐）
【図１】
2019201941.tif 000003
【図２】
2019201941.tif 000004
【図３】
2019201941.tif 000005
【図４】
2019201941.tif 000006
【図５】
2019201941.tif 000007
【図６】
2019201941.tif 000008
【図７】
2019201941.tif 000009
【図８】
2019201941.tif 000010
【図９】
2019201941.tif 000011